(57)【要約】【課題】０ＡＢ〜Ｊ番号サービスに適用できるＩＰ電話用ユーザ装置及び当該ユーザ装置を含むＩＰ電話システムを提供することである。【解決手段】ユーザ側装置は、電話機固有のＭＡＣアドレスを付与すると共に、電話機に定められた回線をあらわす経路情報としてのＶＬＡＮ−ＩＤをタグとして付与したＶｏＩＰ系音声パケットを出力する。ＶｏＩＰ系音声パケットを受信する上位装置は、各電話機に割り当てられた所定のＭＡＣアドレス及びＶＬＡＮ−ＩＤをタグとして格納されたテーブルを備えている。上位装置では、電話機からのタグをテーブル内のタグと比較、照合することにより、電話機が正規の位置に接続されているか否かを検出する。このように、ＶｏＩＰ系パケットのタグには、経路情報が含まれているから、電話機の接続位置を認証することができる。【選択図】    図１
2006311173.tif 000002
【特許請求の範囲】
【請求項１】
ＩＰネットワークを介して通話を行うユーザ側装置において、電話機を接続できる端末装置を備え、当該端末装置には、前記端末装置に割り当てられた経路をあらわす経路識別子が割り当てられており、前記端末装置は前記電話機固有の電話機識別子を付与する手段を備え、前記経路識別子と前記電話機識別子の双方は、前記端末装置の位置の固定に使用されることを特徴とするユーザ側装置。
【請求項２】
請求項１において、前記経路識別子は前記端末装置に接続された電話機の経路をあらわす電話機用ＶＬＡＮ−ＩＤ（以下ＶｏＩＰ  ＶＬＡＮ−ＩＤ（Ｖｅｒｔｕａｌ  Ｌｏｃａｌ  Ａｒｅａ  Ｎｅｔｗｏｒｋ−  Ｉｄｅｎｔｉｆｉｅｒ）と呼ぶ）であり、前記電話機識別子は電話機用ＶｏＩＰ  ＭＡＣ（Ｍｅｄｉａ  Ａｃｃｅｓｓ  Ｃｏｎｔｒｏｌ）アドレスであることを特徴とするユーザ側装置。
【請求項３】
請求項２において、前記端末装置は、前記電話機識別子として前記ＶｏＩＰ  ＭＡＣアドレスを付与することを特徴とするユーザ側装置。
【請求項４】
請求項２において、前記端末装置は前記ＶｏＩＰ  ＭＡＣアドレスのほかに、前記ＶｏＩＰ  ＶＬＡＮ−ＩＤをも付与する機能を備えていることを特徴とするユーザ側装置。
【請求項５】
請求項２において、前記電話機からの発信に応答して、当該端末装置から与えられるパケットに対して前記ＶｏＩＰ  ＶＬＡＮ−ＩＤを付与して、前記ＶｏＩＰ  ＭＡＣアドレスと共に、タグを形成するＣＰＥ（Ｃｕｓｔｏｍｅｒ  Ｐｒｅｍｉｓｅｓ  Ｅｑｕｉｐｍｅｎｔ）を有していることを特徴とするユーザ側装置。
【請求項６】
請求項２〜５のいずれかにおいて、前記電話機のサービスクラス（ＣｏＳ）をあらわすサービスクラス（ＣｏＳ）番号をもタグの一部として生成されることを特徴とするユーザ側装置。
【請求項７】
請求項６において、前記ＣｏＳ番号は前記端末装置で生成されることを特徴とするユーザ側装置。
【請求項８】
請求項１〜７のいずれかにおいて、前記端末装置は前記電話機のほかに、コンピュータとも接続できる構成を備え、前記コンピュータには、前記電話機と異なるコンピュータ識別子が割り当てられ、前記電話機用の経路識別子とは異なるサービス系経路識別子が割り当てられていることを特徴とするユーザ側装置。
【請求項９】
請求項１〜７のいずれかにおいて、前記端末装置は、前記電話機のほかに、コンピュータとも接続できる構成を備え、前記コンピュータには、前記電話機と異なるコンピュータ識別子が付与されていると共に、前記電話機の経路識別子と同じサービス系経路識別子が割り当てられていることを特徴とするユーザ側装置。
【請求項１０】
ＩＰネットワークを介して通話を行うＩＰ電話システムにおいて、電話機に対して、予め定められた経路をあらわす経路識別子を割り当てることができると共に、前記電話機に対して固有の電話機識別子を割り当てることができるユーザ側装置と、当該経路識別子及び電話機識別子を用いて、前記端末装置の位置を認証固定する上位装置を有することを特徴とするＩＰ電話システム。
【請求項１１】
請求項１０において、前記経路識別子は、前記電話機の接続されるべき回線をあらわすＶｏＩＰ  ＶＬＡＮ−ＩＤであり、前記電話機識別子はＶｏＩＰ  ＭＡＣアドレスであることを特徴とするＩＰ電話システム。
【請求項１２】
請求項１１において、前記上位装置は、前記ユーザ側装置を複数収容し、前記各ユーザ側装置からの前記ＶｏＩＰ  ＶＬＡＮ−ＩＤ及び前記ＶｏＩＰ  ＭＡＣアドレスとが、設定されている所定ＶｏＩＰ  ＶＬＡＮ−ＩＤ及びＶｏＩＰ  ＭＡＣアドレスと一致するか否かを判定するテーブルを備えたスイッチ手段と、前記スイッチ手段において前記ＶｏＩＰ  ＶＬＡＮ−ＩＤ及び前記ＶｏＩＰ  ＭＡＣアドレスが前記所定ＶｏＩＰ  ＶＬＡＮ−ＩＤ及びＶｏＩＰ  ＭＡＣアドレスと一致している場合、前記電話機を認証するＶｏＩＰ用サーバとを有していることを特徴とするＩＰ電話システム。
【請求項１３】
請求項１２において、前記スイッチ手段において、前記ＶｏＩＰ  ＶＬＡＮ−ＩＤ及び前記ＶｏＩＰ  ＭＡＣアドレスと、前記所定ＶｏＩＰ  ＶＬＡＮ−ＩＤ及びＶｏＩＰ  ＭＡＣアドレスとの不一致が検出された場合に接続される前記ＶｏＩＰ用サーバとは異なるサービス用サーバを有していることを特徴とするＩＰ電話システム。
【請求項１４】
請求項１３において、前記サービス用サーバは、前記スイッチ手段で不一致が検出された場合、認証を行わないことを特徴とするＩＰ電話システム。
【請求項１５】
請求項１１において、前記上位装置は、前記ユーザ側装置を複数収容し、前記各ユーザ側装置からの前記ＶｏＩＰ  ＶＬＡＮ−ＩＤ及び前記ＶｏＩＰ  ＭＡＣアドレスとを含むＶｏＩＰ系パケットを受け、当該ＶｏＩＰ系パケットに応じた経路を定めるスイッチと、前記定められた経路に配置され、前記ＶｏＩＰ系パケット中のＶｏＩＰ  ＶＬＡＮ−ＩＤ及びＶｏＩＰ  ＭＡＣアドレスが所定ＶｏＩＰ  ＶＬＡＮ−ＩＤ及びＶｏＩＰ  ＭＡＣアドレスと一致するか否かを判定するテーブルを備え、判定結果にしたがって前記ＶｏＩＰ系パケットの経路を設定するセパレータとを有していることを特徴とするＩＰ電話システム。
【請求項１６】
請求項１５において、前記セパレータにおいて前記ＶｏＩＰ  ＶＬＡＮ−ＩＤ及び前記ＶｏＩＰ  ＭＡＣアドレスが前記所定ＶｏＩＰ  ＶＬＡＮ−ＩＤ及びＶｏＩＰ  ＭＡＣアドレスと一致している場合、前記セパレータで、前記電話機の位置を固定することを特徴とするＩＰ電話システム。
【請求項１７】
請求項１６において、前記セパレータにおいて不一致が検出された前記電話機に対する認証を行わないことを特徴とするＩＰ電話システム。
【請求項１８】
ＩＰネットワークを介して電話サービスを行うＩＰ電話システムに使用される電話機の位置固定方法において、前記電話機の接続されるべき端末装置に対して、当該端末装置に割り当てられた経路をあらわす経路識別子と、電話機固有の電話機識別子を付与しておき、前記経路識別子と前記電話機識別子の双方を用いて、上位装置側で、前記端末装置の位置を固定、認証することを特徴とする電話機の位置固定方法。
【請求項１９】
請求項１８において、前記経路識別子は前記端末装置の経路をあらわす電話機用ＶＬＡＮ−ＩＤ（以下ＶｏＩＰ  ＶＬＡＮ−ＩＤ（Ｖｅｒｔｕａｌ  Ｌｏｃａｌ  Ａｒｅａ  Ｎｅｔｗｏｒｋ−  Ｉｄｅｎｔｉｆｉｅｒ）と呼ぶ）であり、前記電話機識別子は電話機用ＶｏＩＰ  ＭＡＣ（Ｍｅｄｉａ  Ａｃｃｅｓｓ  Ｃｏｎｔｒｏｌ）アドレスであることを特徴とする電話機の位置固定方法。
【請求項２０】
請求項１９において、前記電話機識別子として付与される前記ＶｏＩＰ  ＭＡＣアドレスは前記端末装置で付与されることを特徴とする電話機の位置固定方法。
【請求項２１】
請求項２０において、前記ＶｏＩＰ  ＭＡＣアドレスのほかに、前記ＶｏＩＰ  ＶＬＡＮ−ＩＤをも前記端末装置で付与されることを特徴とするユーザ側装置。
【請求項２２】
請求項１８〜２０のいずれかにおいて、前記経路識別子及び前記電話機識別子の一致及び不一致を検出するためのテーブルを用いて、前記端末装置の位置を固定することを特徴とする電話機の位置固定方法。
【請求項２３】
請求項２２において、前記テーブルを格納したスイッチを前記上位装置側に有していることを特徴とする電話機の位置固定方法。
【請求項２４】
請求項２２において、前記テーブルを備えたセパレータを有することを特徴とする電話機の位置固定方法。
【発明の詳細な説明】
【技術分野】
【０００１】
本発明は、ＩＰ網（即ち、ＩＰネットワーク）を介して通話を行うことができるＩＰ電話システム、ユーザ側装置、及び、ユーザ側装置を固定する方法に関する。
【背景技術】
【０００２】
最近、通話料の安価なＩＰ電話サービスに対する関心が高くなっており、ＩＰ電話サービスは、今後、普及していくものと予測される。通常、ＩＰ電話サービスに用いられる電話番号としては、「０５０」で始まるの電話番号が用いられているが、固定電話と同じ形式の電話番号（一般に、０ＡＢ〜Ｊ番号と呼ばれる）をも利用できるＩＰ電話サービスも知られている。このように、０ＡＢ〜Ｊ番号利用のＩＰ電話サービスには、従来の固定電話サービスと同様な信頼性を保つために種々の制約が課せられており、これらの制約のために、０ＡＢ〜Ｊ番号を利用したＩＰ電話サービスの普及は遅れる傾向にある。
【０００３】
この種の０ＡＢ〜Ｊ番号に課せられている制約の一つとして、固定電話の電話番号と発信場所とを対応させることが要求されている。これは、固定電話の場合、警察或いは消防等のような緊急電話の際にコールバックして、固定電話の位置を確認する必要があるためである。
【０００４】
一方、通常のＩＰ電話サービスに使用されるＩＰ電話装置は、特開２００３−１５８５５３号公報（特許文献１）に見られるように、パソコンとヘッドセットとを一体化したものが多く、パソコンのキーボードを利用して入力された電話番号をＩＰアドレスに変換して、ルータを介してＩＰネットワークに接続する構成を備えている。即ち、特許文献１に示されたＩＰ電話装置は、相手側ＩＰ電話装置に対してピアツーピア（peer  to  peer）方式で情報を送受信する通信装置と、当該通信装置が受信した電話番号とＩＰ電話装置自体の電話番号とを照合する電話番号検索装置とを備えている。電話番号検索装置における照合の結果、両者が一致する場合に限り、通信装置は当該ＩＰ電話装置自体のＩＰアドレスを返信し、このＩＰアドレスを用いて、相手側のＩＰ電話装置と呼接続している。
【０００５】
このことからも明らかな通り、特許文献１は、０ＡＢ〜Ｊ番号を利用したＩＰ電話サービスを実現することについては何等開示していない。したがって、電話機の電話番号と当該電話機の位置とを固定する必要性並びにそのための手段について、特許文献１は何等示唆していない。
【０００６】
また、現在利用中の電話番号を使用できる従来のシステムは、国内通話、携帯電話、国際電話等には対応できるものの緊急通話用に加入電話回線を残すことが提案されている。
【０００７】
【特許文献１】特開２００３−１５８５５３号
【発明の開示】
【発明が解決しようとする課題】
【０００８】
電話料金を抑えることができるＩＰ電話サービスはユーザにとって極めて魅力的であり、更に、現在利用されている電話番号を利用できる０ＡＢ〜Ｊ番号サービスを提供することはユーザにとって極めて利便性が高い。したがって、０ＡＢ〜Ｊ番号サービスを実現することは、ＩＰ電話サービスの普及に大きな役割を果たすものと考えられる。
【０００９】
しかしながら、ＩＰ電話装置自体、当該ＩＰ電話装置にコンピュータと同様に、ＩＰアドレスを割り当て、当該ＩＰアドレスを用いた接続が行われている。このことは、ＩＰ電話装置をどの電話回線に接続しても使用できるように構成することを意味している。したがって、各ＩＰ電話装置の位置を固定することについて従来提案されていないのが実情であり、緊急電話の際のためには加入者回線を残すことのみが検討されている。
【００１０】
本発明の目的は、電話機の位置を認証して、緊急電話の際にも対応できる電話機用ユーザ側装置を提供することである。
【００１１】
本発明の他の目的は、電話機に対応した接続経路を示す識別子を用いて電話機の位置を認識する電話機用ユーザ側装置を提供することである。
【００１２】
本発明の他の目的は、ユーザ側装置からの識別子を用いて、電話機の位置を認証できるＩＰ電話システムを提供することである。
【課題を解決するための手段】
【００１３】
本発明の第１の態様によれば、ＩＰネットワークを介して通話を行うユーザ側装置において、電話機を接続できる端末装置を備え、当該端末装置には、前記端末装置に割り当てられた経路をあらわす経路識別子が割り当てられており、前記端末装置は前記電話機固有の電話機識別子を付与する手段を備え、前記経路識別子と前記電話機識別子の双方は、前記端末装置の位置の固定に使用されることを特徴とするユーザ側装置が得られる。
【００１４】
本発明の第２の態様によれば、前記経路識別子は前記端末装置に接続された電話機の経路をあらわす電話機用ＶＬＡＮ−ＩＤ（以下ＶｏＩＰ  ＶＬＡＮ−ＩＤ（Ｖｅｒｔｕａｌ  Ｌｏｃａｌ  Ａｒｅａ  Ｎｅｔｗｏｒｋ−  Ｉｄｅｎｔｉｆｉｅｒ）と呼ぶ）であり、前記電話機識別子は電話機用ＶｏＩＰ  ＭＡＣ（Ｍｅｄｉａ  Ａｃｃｅｓｓ  Ｃｏｎｔｒｏｌ）アドレスであることを特徴とするユーザ側装置が得られる。
【００１５】
本発明の第３の態様によれば、前記端末装置は、前記電話機識別子として前記ＶｏＩＰ  ＭＡＣアドレスを付与することを特徴とするユーザ側装置が得られる。
【００１６】
本発明の第４の態様によれば、前記端末装置は前記ＶｏＩＰ  ＭＡＣアドレスのほかに、前記ＶｏＩＰ  ＶＬＡＮ−ＩＤをも付与する機能を備えていることを特徴とするユーザ側装置が得られる。
【００１７】
本発明の第５の態様によれば、前記電話機からの発信に応答して、当該端末装置から与えられるパケットに対して前記ＶｏＩＰ  ＶＬＡＮ−ＩＤを付与して、前記ＶｏＩＰ  ＭＡＣアドレスと共に、タグを形成するＣＰＥ（Ｃｕｓｔｏｍｅｒ  Ｐｒｅｍｉｓｅｓ  Ｅｑｕｉｐｍｅｎｔ）を有していることを特徴とするユーザ側装置が得られる。
【００１８】
本発明の第６の態様によれば、前記電話機のサービスクラス（ＣｏＳ）をあらわすサービスクラス（ＣｏＳ）番号をもタグの一部として生成されることを特徴とするユーザ側装置が得られる。
【００１９】
本発明の第７の態様によれば、前記ＣｏＳ番号は前記端末装置で生成されることを特徴とするユーザ側装置が得られる。
【００２０】
本発明の第８の態様によれば、前記端末装置は前記電話機のほかに、コンピュータとも接続できる構成を備え、前記コンピュータには、前記電話機と異なるコンピュータ識別子が割り当てられ、前記電話機用の経路識別子とは異なるサービス系経路識別子が割り当てられていることを特徴とするユーザ側装置が得られる。
【００２１】
本発明の第９の態様によれば、前記端末装置は、前記電話機のほかに、コンピュータとも接続できる構成を備え、前記コンピュータには、前記電話機と異なるコンピュータ識別子が付与されていると共に、前記電話機の経路識別子と同じサービス系経路識別子が割り当てられていることを特徴とするユーザ側装置が得られる。
【００２２】
本発明の第１０の態様によれば、ＩＰネットワークを介して通話を行うＩＰ電話システムにおいて、電話機に対して、予め定められた経路をあらわす経路識別子を割り当てることができると共に、前記電話機に対して固有の電話機識別子を割り当てることができるユーザ側装置と、当該経路識別子及び電話機識別子を用いて、前記端末装置の位置を認証固定する上位装置を有することを特徴とするＩＰ電話システムが得られる。
【００２３】
本発明の第１１の態様によれば、前記経路識別子は、前記電話機の接続されるべき回線をあらわすＶｏＩＰ  ＶＬＡＮ−ＩＤであり、前記電話機識別子はＶｏＩＰ  ＭＡＣアドレスであることを特徴とするＩＰ電話システムが得られる。
【００２４】
本発明の第１２の態様によれば、前記上位装置は、前記ユーザ側装置を複数収容し、前記各ユーザ側装置からの前記ＶｏＩＰ  ＶＬＡＮ−ＩＤ及び前記ＶｏＩＰ  ＭＡＣアドレスとが、設定されている所定ＶｏＩＰ  ＶＬＡＮ−ＩＤ及びＶｏＩＰ  ＭＡＣアドレスと一致するか否かを判定するテーブルを備えたスイッチ手段と、前記スイッチ手段において前記ＶｏＩＰ  ＶＬＡＮ−ＩＤ及び前記ＶｏＩＰ  ＭＡＣアドレスが前記所定ＶｏＩＰ  ＶＬＡＮ−ＩＤ及びＶｏＩＰ  ＭＡＣアドレスと一致している場合、前記電話機を認証するＶｏＩＰ用サーバとを有していることを特徴とするＩＰ電話システムが得られる。
【００２５】
本発明の第１３の態様によれば、前記スイッチ手段において、前記ＶｏＩＰ  ＶＬＡＮ−ＩＤ及び前記ＶｏＩＰ  ＭＡＣアドレスと、前記所定ＶｏＩＰ  ＶＬＡＮ−ＩＤ及びＶｏＩＰ  ＭＡＣアドレスとの不一致が検出された場合に接続される前記ＶｏＩＰ用サーバとは異なるサービス用サーバを有していることを特徴とするＩＰ電話システムが得られる。
【００２６】
本発明の第１４の態様によれば、前記サービス用サーバは、前記スイッチ手段で不一致が検出された場合、認証を行わないことを特徴とするＩＰ電話システムが得られる。
【００２７】
本発明の第１５の態様によれば、前記上位装置は、前記ユーザ側装置を複数収容し、前記各ユーザ側装置からの前記ＶｏＩＰ  ＶＬＡＮ−ＩＤ及び前記ＶｏＩＰ  ＭＡＣアドレスとを含むＶｏＩＰ系パケットを受け、当該ＶｏＩＰ系パケットに応じた経路を定めるスイッチと、前記定められた経路に配置され、前記ＶｏＩＰ系パケット中のＶｏＩＰ  ＶＬＡＮ−ＩＤ及びＶｏＩＰ  ＭＡＣアドレスが所定ＶｏＩＰ  ＶＬＡＮ−ＩＤ及びＶｏＩＰ  ＭＡＣアドレスと一致するか否かを判定するテーブルを備え、判定結果にしたがって前記ＶｏＩＰ系パケットの経路を設定するセパレータとを有していることを特徴とするＩＰ電話システムが得られる。
【００２８】
本発明の第１６の態様によれば、前記セパレータにおいて前記ＶｏＩＰ  ＶＬＡＮ−ＩＤ及び前記ＶｏＩＰ  ＭＡＣアドレスが前記所定ＶｏＩＰ  ＶＬＡＮ−ＩＤ及びＶｏＩＰ  ＭＡＣアドレスと一致している場合、前記セパレータで、前記電話機の位置を固定することを特徴とするＩＰ電話システムが得られる。
【００２９】
本発明の第１７の態様によれば、前記セパレータにおいて不一致が検出された前記電話機に対する認証を行わないことを特徴とするＩＰ電話システムが得られる。
【００３０】
本発明の第１８の態様によれば、ＩＰネットワークを介して電話サービスを行うＩＰ電話システムに使用される電話機の位置固定方法において、前記電話機の接続されるべき端末装置に対して、当該端末装置に割り当てられた経路をあらわす経路識別子と、電話機固有の電話機識別子を付与しておき、前記経路識別子と前記電話機識別子の双方を用いて、上位装置側で、前記端末装置の位置を固定、認証することを特徴とする電話機の位置固定方法が得られる。
【００３１】
本発明の第１９の態様によれば、前記経路識別子は前記端末装置の経路をあらわす電話機用ＶＬＡＮ−ＩＤ（以下ＶｏＩＰ  ＶＬＡＮ−ＩＤ（Ｖｅｒｔｕａｌ  Ｌｏｃａｌ  Ａｒｅａ  Ｎｅｔｗｏｒｋ−  Ｉｄｅｎｔｉｆｉｅｒ）と呼ぶ）であり、前記電話機識別子は電話機用ＶｏＩＰ  ＭＡＣ（Ｍｅｄｉａ  Ａｃｃｅｓｓ  Ｃｏｎｔｒｏｌ）アドレスであることを特徴とする電話機の位置固定方法が得られる。
【００３２】
本発明の第２０の態様によれば、前記電話機識別子として付与される前記ＶｏＩＰ  ＭＡＣアドレスは前記端末装置で付与されることを特徴とする電話機の位置固定方法が得られる。
【００３３】
本発明の第２１の態様によれば、前記ＶｏＩＰ  ＭＡＣアドレスのほかに、前記ＶｏＩＰ  ＶＬＡＮ−ＩＤをも前記端末装置で付与されることを特徴とするユーザ側装置が得られる。
【００３４】
本発明の第２２の態様によれば、前記経路識別子及び前記電話機識別子の一致及び不一致を検出するためのテーブルを用いて、前記端末装置の位置を固定することを特徴とする電話機の位置固定方法が得られる。
【００３５】
本発明の第２３の態様によれば、前記テーブルを格納したスイッチを前記上位装置側に有していることを特徴とする電話機の位置固定方法が得られる。
【００３６】
本発明の第２４の態様によれば、前記テーブルを備えたセパレータを有することを特徴とする電話機の位置固定方法が得られる。
【発明の効果】
【００３７】
本発明によれば、電話機に割り当てられた回線の経路情報として、ＶｏＩＰ  ＶＬＡＮ−ＩＤをＶｏＩＰ系パケットに付与すると共に、当該電話機にＶｏＩＰ  ＭＡＣアドレスを付与し、両ＶｏＩＰ  ＶＬＡＮ−ＩＤ及びＶｏＩＰ  ＭＡＣアドレスを利用することによって電話機の接続位置を特定できると共に、他のユーザの成りすましを防止できるユーザ側装置が得られる。
【００３８】
更に、本発明では、ＶｏＩＰ  ＶＬＡＮ−ＩＤを含むタグをユーザ側端末で生成して、加入者端末よりも上位の装置で、ＶｏＩＰ  ＭＡＣ、ＶＬＡＮ−ＩＤ、ユーザＩＤ及びユーザパスワード（ＰＷＤ）によってユーザ端末装置の位置を固定する。この構成では、上位の装置として既存の装置等をも使用できるため、システムの変更を最小限に止めることができる。このように、位置を固定された端末装置に接続された電話機は、緊急電話をも含めて０ＡＢ〜Ｊ番号による発信にも容易に対応できると言う利点もある。
【発明を実施するための最良の形態】
【００３９】
図１を参照すると、本発明の第１の実施形態に係るＩＰ電話システム２０の概略構成が示されている。図１に示されたＩＰ電話システム２０は加入者収容装置（ＣＯ）２２、ＢＡＳ（Broadband  Access  Server）２４、スイッチ２５、及び、ＲＡＤＩＵＳ（Remote  Authentication  Dial−In  User  Server）２６とを備えている。加入者収容装置（ＣＯ）２２には、複数のユーザ側装置（図１では、ユーザ１及び２に対応する２つのユーザ側装置３０１、３０２だけが示されている）が接続されている。
【００４０】
図示されたユーザ側装置３０１は、メディアコンバータ（ＭＣ）を含むＣＰＥ（Ｃｕｓｔｏｍｅｒ  Ｐｒｅｍｉｓｅｓ  Ｅｑｕｉｐｍｅｎｔ）３２１と、本発明に係る端末装置３４１とを具備し、図示された端末装置３４１はＰＣ３６１及び電話機３８１の双方と接続できるように構成されているが、電話機３８１だけを接続するように構成されていても良い。
【００４１】
他方、ユーザ側装置３０２にも、ＭＣを含むＣＰＥ３２２及び本発明に係る端末装置３４２が設けられており、当該端末装置３４２もＰＣ３６２及び電話機３８２の双方と接続できるように構成されている。ここで、各端末装置３４１及び３４２はＶｏＩＰ（Voice  over  Internet  Protocol）にしたがって動作するから、以下ではＶｏＩＰ−ＴＡ（Terminal  Adapter）と呼ぶこともあるし、ＶＡ（Ｖｏｉｃｅ  Ａｄａｐｔｅｒ）と略称する場合もある。尚、これら端末装置３４１及び３４２は、ここでは、事業者から各ユーザに提供されても良いし、或いは、ユーザ自身によって購入されたものでも良い。このように、図示された各ユーザ側装置３０１、３０２は、ＣＰＥ（Ｃｕｓｔｍｅｒ  Ｐｒｅｍｉｓｅｓ  Ｅｑｕｉｐｍｅｎｔ）３２１、３２２と端末装置３４１、３４２との双方を含む構成を有している。
【００４２】
図示された端末装置３４１及び３４２に接続されるＰＣ３６１及び３６２には、ＮＩＣ（Network  Interface  Card）により、固有のＭＡＣ（Media  Access  Control）アドレス（ここでは、それぞれＭＡＣ：Ａ及びＭＡＣ：Ｃ）が付与されているものとする。一方、電話機３８１及び３８２自身には、ＭＡＣアドレスは付与されていない。
【００４３】
また、端末装置３４１に接続されたＣＰＥ３２１のＭＣは光ケーブルを介して加入者収容装置２２に接続され、端末装置３４２に接続されたＭＣ３２２も光ケーブルを介して加入者収容装置２２に接続されている。この関係で、図示されたシステムはＦｉｂｅｒ  Ｔｏ  Ｔｈｅ  Ｈｏｍｅ（ＦＴＴＨ）システムを構成しているものとして説明する。しかしながら、本発明は何等この構成に限定されることなく、メタルケーブルによって接続されたＤＳＬ（Ｄｉｇｉｔａｌ  Ｓｕｂｓｃｒｉｂｅｒ  Ｌｉｎｅ）方式にも適用できるし、或いは、ＰＯＮ（Ｐａｓｓｓｉｖｅ  Ｏｐｔｉｃａｌ  Ｎｅｔｗｏｒｋ）構成を採用したシステムにも適用可能である。
【００４４】
ここで、ユーザ１及び２の端末装置３４１及び３４２の回線には、それぞれこれら端末装置固有の接続経路を示す経路情報として、ＰＣ及び電話機共通のＶＬＡＮ−ＩＤ：ａ及びＶＬＡＮ−ＩＤ：ｂが付与されているものとし、これらは経路識別子としての機能を有している。即ち、この実施形態では、端末装置３４１及び３４２の回線をあらわす経路識別子としてＶＬＡＮ−ＩＤ：ａ及びＶＬＡＮ−ＩＤ：ｂが割り当てられると共に、ＰＣ３６１及び３６２には、コンピュータを識別するためのコンピュータ識別子としてそれぞれＭＡＣ：Ａ及びＭＡＣ：Ｃが割り当てられている。
【００４５】
更に、本発明に係る端末装置３４１は電話機３８１の発信を受けると、当該電話機３８１からの発信を検出し、当該電話機３８１に固有の識別子、即ち、電話機識別子として、ＶｏＩＰ  ＭＡＣアドレスを付与したパケット（ＶｏＩＰ系パケットと呼ぶ）を出力する機能を備えている。この例では、ＶｏＩＰ  ＭＡＣ：ＢがＶｏＩＰ  ＭＡＣアドレスとして端末装置３４１によって付与される。
【００４６】
同様に、端末装置３４２は電話機３８２からの発信に対して、当該電話機３８２固有の電話機識別子（ＶｏＩＰ  ＭＡＣ：Ｄ）を付与したＶｏＩＰ系パケットを出力する機能を備えている。
【００４７】
他方、図示された端末装置３４１、３４２は、それぞれＰＣ３６１、３６２からのＭＡＣ：Ａ、ＭＡＣ：Ｃを付与したパケット（サービス系パケット）をそのままＣＰＥ３２１、３２２に出力する。
【００４８】
結果的に、本発明に係る各端末装置３４１、３４２からＣＰＥ３２１、３２２を介して加入者収容装置（ＣＯ）２２に与えられるサービス系パケット及びＶｏＩＰ系パケットには、上記したＭＡＣアドレスが付与されている。加入者収容装置（ＣＯ）２２は、ユーザ１のＰＣ３６１からのサービス系パケットに対して、ＰＣアドレスとして、ＰＣ  ＭＡＣ：Ａ及びＶＬＡＮ−ＩＤ：ａを含むパケットをスイッチ２５に供給し、他方、ユーザ１のＶｏＩＰ系パケットに対して、ＶｏＩＰアドレスとして、ＶｏＩＰ  ＭＡＣ：Ｂ及びＶＬＡＮ−ＩＤ：ａを含むパケットをスイッチ２５に出力する。
【００４９】
同様に、加入者収容装置（ＣＯ）２２は、ユーザ２のサービス系パケットを受けると、ＰＣ  ＭＡＣ：Ｃ及びＶＬＡＮ−ＩＤ：ｂを含むパケットを出力する一方、ユーザ２のＶｏＩＰ系パケットを受けると、ＶｏＩＰ  ＭＡＣ：Ｄ及びＶＬＡＮ−ＩＤ：ｂを含むパケットを出力する。
【００５０】
図示されたスイッチ２５は、レイヤ２のスイッチ（Ｌ２ＳＷ）であり、ユーザ１及び２に対応した表１に示すような第１及び第２ユーザテーブルを備えている。
【００５１】
【表１】
2006311173.tif 000003
【００５２】
具体的に言えば、ユーザ１用の第１ユーザテーブルは第１ＰＣテーブルと第１ＶｏＩＰテーブルとにより構成され、同様に、ユーザ２用の第２ユーザテーブルも、第２ＰＣテーブルと第２ＶｏＩＰテーブルとにより構成されている。
【００５３】
ここで、第１ユーザテーブルの第１ＰＣテーブルは、表１に示されているように、第１ユーザ１に予め割り当てられたＰＣ  ＭＡＣ：Ａ、ＶＬＡＮ−ＩＤ：ａとを格納している。また、これらＰＣ  ＭＡＣ：Ａ、ＶＬＡＮ−ＩＤ：ａがユーザ側装置３０１から受信したものと一致した場合に、当該第１ユーザ１のＰＣ３６１に割り当てられる出力ＶＬＡＮ−ＩＤ（ＢＡＳ２４のサービス系ＶＲ２４１に対するＶＬＡＮ−ＩＤ）が格納され、更に、ＰＣ  ＭＡＣ：Ａ、ＶＬＡＮ−ＩＤ：ａと、ユーザ側装置３０１から受信したものとの間に不一致が生じた場合に、出方路としてＢＡＳ２４のサービス系ＶＲ２４１に対するＶＬＡＮ−ＩＤが格納されている。
【００５４】
他方、第１ユーザテーブルの第１ＶｏＩＰテーブルには、表１に示されているように、第１ユーザ１のＶｏＩＰ  ＭＡＣ：Ｂ、ＶＬＡＮ−ＩＤ：ａとが格納されている。更に、格納されているＶｏＩＰ  ＭＡＣ：Ｂ、ＶＬＡＮ−ＩＤ：ａと、受信したものと一致した場合に、第１ユーザ１の電話機３８１に割り当てられるＶｏＩＰ用ＶＬＡＮ−ＩＤも第１ＶｏＩＰテーブルに格納されており、更に、不一致が検出された場合、出方路としてＢＡＳ２４のサービス系ＶＲ２４１に対するＶＬＡＮ−ＩＤが格納されている。
【００５５】
同様に、第２ユーザテーブルの第２ＰＣテーブルは、表１に示すように、第２ユーザ２のＰＣ３６２に、ＰＣアドレスとして予め割り当てられたＰＣ  ＭＡＣ：Ｃ、ＶＬＡＮ−ＩＤ：ｂとを格納している。また、表１には、受信したＰＣアドレスと格納されたものと一致した場合、当該第２ユーザ２のＰＣ３６２に割り当てられたスイッチ２５の出方路をあらわすＢＡＳ２４のサービス系ＶＲ２４１へのサービス用ＶＬＡＮ−ＩＤが表１に格納されており、不一致の場合における出方路として、ＢＡＳ２４のサービス系ＶＲ２４１へのサービス用ＶＬＡＮ−ＩＤが格納されている。
【００５６】
他方、第２ユーザテーブルの第２ＶｏＩＰテーブルは、第２ユーザ２のＶｏＩＰ  ＭＡＣ：Ｄ、ＶＬＡＮ−ＩＤ：ｂを格納している。受信したＶｏＩＰ系アドレスがＶｏＩＰ  ＭＡＣ：Ｄ、ＶＬＡＮ−ＩＤ：ｂと一致している場合におけるスイッチ２５の出方路として、ＢＡＳ２４のＶＲ２４２へのＶＬＡＮ−ＩＤが表１に格納されると共に、不一致の場合におけるスイッチ２５の出方路として、ＢＡＳ２４のサービス系ＶＲ２４１へのサービス系用ＶＬＡＮも格納されている。
【００５７】
この状態で、ＰＣ３６１が起動され、ユーザ１のＩＤ及びパスワード（ＰＷＤ）が端末装置３４１から送信された後、ＰＣ３６１から端末装置３４１及び加入者収容装置２２を介して、パケットがスイッチ２５に出力された場合における動作を説明する。
【００５８】
この場合、端末装置３４１から出力されるパケットがＰＣ  ＭＡＣ：Ａ、ＶＬＡＮ−ＩＤ：ａのタグを有している場合、ユーザ１の第１ＰＣテーブルがサーチされる。第１ＰＣテーブルがサーチされると、パケットに付加されたタグと、第１ＰＣテーブルに格納されているＰＣ  ＭＡＣ：Ａ、ＶＬＡＮ−ＩＤ：ａとは一致するから、第１ＰＣテーブルから出方路をあらわすＶＬＡＮ−ＩＤに変換され、当該ＶＬＡＮ−ＩＤに対応したサービス系ＶＬＡＮを介してＢＡＳ２４のＶＲ２４１に当該パケットが出力される。このように、スイッチ２５では、端末装置３０１からスイッチ２５までの経路が確立される。
【００５９】
続いて、ＢＡＳ２４のＶＲ２４１はＲＡＤＩＵＳ２６のサービス用サーバ２６１に認証要求パケットを出力する。この場合、認証要求パケットには、端末装置３４１のＩＤ及びパスワード（ＰＷＤ）が含まれているから、ＲＡＤＩＵＳ２６のサービス用サーバ２６１は、これらＩＤ及びＰＷＤからＰＣ３６１からのパケットであることを認証する。このＲＡＤＩＵＳ２６における認証動作は従来のＲＡＤＩＵＳ２６の認証動作と同じであるから、図示された例では、ＲＡＤＩＵＳ２６の設計変更等を要しないと言う利点がある。
【００６０】
同様に、端末装置３４１が起動された場合にも、端末装置３４１から当該端末装置３４１に割り当てられたユーザＩＤ及びパスワード（ＰＷＤ）を含む認証要求が出力され、続いて、電話機３８１から端末装置３４１及び加入者収容装置（ＣＯ）２２を介して、ＶｏＩＰ  ＭＡＣ：Ｂ、ＶＬＡＮ−ＩＤ：ａを有する音声パケットがスイッチ２５に与えられる。この場合、表１に示された第１ＶｏＩＰテーブルがサーチされ、この例でも、第１ＶｏＩＰテーブルの内容とタグとが一致するから、スイッチ２５は正規の電話機３８１からの発信であることを判定する。これによって、電話機３８１の位置はスイッチ２５によって固定されたことになる。次に、スイッチ２５は、第１ＶｏＩＰテーブルを参照して、出方路をあらわすＶｏＩＰ用ＶＬＡＮ−ＩＤを読み出し、当該ＶｏＩＰ用ＶＬＡＮを介してＢＡＳ２４のＶｏＩＰ用ＶＲ２４２にＩＤ及びＰＷＤを含む認証要求パケットを出力する。
【００６１】
この結果、ＶｏＩＰ系認証要求パケットはＲＡＤＩＵＳ２６のＶｏＩＰ用サーバ２６２に与えられ、ＩＤ及びＰＷＤによって端末装置３４１を認証する。
【００６２】
このように、この実施形態では、ＭＡＣアドレス（ＭＡＣ：Ｂ）とＶＬＡＮ−ＩＤ：ｂを用いてスイッチ２５で端末装置３４１の電話機３８１の位置を固定すると共に、ＶｏＩＰ用サーバ２６２は端末装置３４１をＩＤ／ＰＷＤを用いて認証、識別する。上記した例では、ＶｏＩＰ用サーバ２６２は、ＩＰアドレスを当該端末装置３４１に分配し、端末装置３４１は分配されたＩＰアドレスを利用してＳＩＰ（Ｓｅｓｓｉｏｎ  Ｉｎｉｔｉａｔｉｏｎ  Ｐｒｏｔｏｃｏｌ）サーバ２６３との接続を行う。ＳＩＰサーバ２６３との接続後、電話機３８１は０ＡＢ〜Ｊ番号を利用した発信も可能な状態になる。
【００６３】
上記した動作は、ユーザ２の端末装置３４２に対して、当該端末装置３４２に予め定められた正規のＰＣ３６２及び電話機３８２が接続された場合にも同様である。
【００６４】
一方、ユーザ２の位置に設けられた端末装置３４２に、ユーザ２に設定された正規のＰＣ及び電話機とは異なるユーザ１の端末装置３４１が接続されたものとする。即ち、ユーザ１がユーザ２になりすまして、ユーザ２の位置で接続を行った場合について説明する。
【００６５】
この場合、ユーザ２の位置に接続された端末装置３４１は、例えば、ＰＣ３６１の接続によって、ＰＣＭＡＣ：Ａをそのまま出力する一方、電話機が接続された場合、ＶｏＩＰＭＡＣ：Ｂを付与する機能を備えている。
【００６６】
したがって、端末装置３４１にＰＣ３６１が接続された場合、ＰＣＭＡＣ：Ａが含まれているパケットが端末装置３４１からサービス系パケットとして、ＭＣ３２２を介して加入者収容装置２２に供給される。
【００６７】
このサービス系パケットを受けて、加入者収容装置２２はＭＡＣ：Ａと共に、端末装置３４２に割り当てられたＶＬＡＮ−ＩＤ：ｂとをタグとして含むパケットをスイッチ２５に与える。即ち、当該サービス系パケットには、ＰＣ３６１のＰＣアドレスとしてＭＡＣ：Ａが含まれると共に、その経路情報として、端末装置３４２に割り当てられたＶＬＡＮ−ＩＤ：ｂが含まれている。
【００６８】
スイッチ２５では、受信したＭＡＣ：Ａ及びＶＬＡＮ−ＩＤ：ｂによって表１に示された第２ユーザテーブルの第２ＰＣテーブルを検索する。第２ユーザテーブルに格納されたＭＡＣ：Ｃ、ＶＬＡＮ−ＩＤ：ｂと、受信したＭＡＣ：Ａ、ＶＬＡＮ−ＩＤ：ｂとは相違しているため、タグの不一致を検出する。表１に示されているように、不一致の場合、第２ユーザテーブルのＰＣテーブルには、その出方路として、サービス用ＶＬＡＮに割り当てられたＶＬＡＮ−ＩＤが設定されている。したがって、上記したように、格納されたタグと受信したタグとの間に不一致が生じた場合、サービス用ＶＬＡＮを通して、ＢＡＳ２４及びＲＡＤＩＵＳ２６のサービス用サーバ２６１が接続される。
【００６９】
サービス用サーバ２６１はＭＡＣ：ＡからＰＣ３６１の接続を検出、認証する。このように、ＰＣ３６１、３６２については、各ＰＣに割り当てられたＭＡＣアドレスを検出して、ＰＣを特定するだけでよく、各ＰＣの位置を識別、認証する必要はない。
【００７０】
次に、ユーザ２の端末装置３４２の代わりに、ユーザ１の端末装置３４１が接続され、当該端末装置３４１に電話機が接続された場合について説明する。この場合、端末装置３４１は、電話機に対してＶｏＩＰ  ＭＡＣ：ＢをＭＡＣアドレスとして付与する機能を備えているから、当該ＶｏＩＰ  ＭＡＣ：Ｂを含むパケットが端末装置３４１から加入者収容装置２２に出力される。加入者収容装置（ＣＯ）２２は、ＭＡＣ：Ｂ及びＶｏＩＰＶＬＡＮ−ＩＤ：ｂを含むＶｏＩＰ系パケットをスイッチ２５に出力する。
【００７１】
スイッチ２５は、表１に示された第２ユーザ２の第２ＶｏＩＰテーブルに予め格納されたＶｏＩＰ  ＭＡＣ：ＤとＶＬＡＮ−ＩＤ：ｂと、受信したＶｏＩＰ  ＭＡＣ：Ｂ及びＶＬＡＮ−ＩＤ：ｂとをそれぞれ比較し、ＶｏＩＰ  ＭＡＣアドレスの不一致を検出する。このように、ＶｏＩＰ系パケットにおけるＶｏＩＰ  ＭＡＣアドレスの不一致がスイッチ２５によって検出されると、第２ＶｏＩＰテーブルからサービス系ＶＬＡＮ−ＩＤが読み出され、当該サービス系ＶＬＡＮ−ＩＤで示されるＶＬＡＮを通して、ＶｏＩＰ系認証要求がＢＡＳ２４のＶＲ２４１を介してＲＡＤＩＵＳ２６のサービス用サーバ２６１に出力される。換言すると、スイッチ２５においてタグの不一致が検出されると、ユーザ２の位置に接続された端末装置３４１はＶｏＩＰ系サーバ２６２と接続されない。
【００７２】
サービス用サーバ２６１は、ＶｏＩＰ系認証要求パケットに伴うユーザＩＤ／ＰＷＤを検出すると、認証を行うが、当該ユーザ２とは一致しないため、サービス用サーバ２６１ではユーザ認証に失敗する。この結果、サービス用サーバ２６１は不一致の検出の際には、ＩＰアドレスをユーザ２に払い出さない。
【００７３】
したがって、図１に示されたＩＰ電話システムでは、端末装置を当該端末装置に割り当てられた端末装置以外において使用しようとしても、ＲＡＤＩＵＳ２６のサービス用サーバ２６１は当該ＶｏＩＰ系のパケットの認証に失敗する。このように、ユーザ１又は２が異なる位置に接続されると、ＲＡＤＩＵＳ２６は当該ＶｏＩＰ系の電話機の認証に失敗し、結果として、電話機に対してＩＰアドレスを払い出さず、電話機の接続を拒否する。換言すれば、電話機が当該電話機に定められた位置の端末装置に接続されない限り、０ＡＢ〜Ｊ番号サービスを受けることはできない。
【００７４】
上記したように、図１に示された実施形態では、スイッチ２５において、第１及び第２ＶｏＩＰテーブルに定められたＶＬＡＮ−ＩＤとＭＡＣアドレスの組み合わせと、異なるＶＬＡＮ−ＩＤとＭＡＣアドレスの組み合わせを有するパケットが入力された場合、当該パケットに付与されているＶＬＡＮ−ＩＤを、サービス用サーバ２６１を指示するＶＬＡＮ−ＩＤに付け替えて、当該サービス用ＶＬＡＮを介してＢＡＳ２４にパケットを出力する必要がある。換言すれば、図１に示された実施形態では、上記したように、ＶＬＡＮ−ＩＤを付け替える機能を有するスイッチ２５が必要であり、このことは、従来使用されているスイッチをそのまま利用することはできないことを意味している。
【００７５】
図２を参照すると、本発明の他の実施形態に係るＩＰ電話システムは、従来使用されているレイヤ２スイッチ（Ｌ２ＳＷ）をスイッチ２５として使用できると共に、サービス系のパケットに対して、ユーザ全体（ここでは、ユーザ１及び２）で共通のＶＬＡＮ−ＩＤが付与される場合（ＶＬＡＮ−ＩＤ：Ｘ）について説明する。具体的に説明すると、ユーザ１に設けられた端末装置３４１は、当該端末装置３４１にＰＣ３６１が接続された場合、当該端末装置３４１はＰＣ３６１のＭＡＣアドレス（ＭＡＣ：Ａ）をそのまま出力する機能を備えると共に、当該ＰＣ３６１のＶＬＡＮ−ＩＤとしてＶＬＡＮ−ＩＤ：Ｘを割り当てる機能を有している。
【００７６】
一方、ユーザ１の端末装置３４１は、当該端末装置３４１に電話機３８１が接続された場合、ＶｏＩＰ  ＭＡＣ：Ｂ及びＶＬＡＮ−ＩＤ：Ｙの双方を付与する機能を有している。
【００７７】
他方、ユーザ２に設けられた端末装置３４２は、当該端末装置３４２にＰＣ３６２が接続された場合、ＰＣ３６２のＭＡＣアドレス（ＭＡＣ：Ｃ）をそのまま出力する機能と、ＶＬＡＮ−ＩＤ：Ｘを付与する機能を備えている。即ち、図示されたユーザ１及び２の端末装置３４１、３４２は接続されたＰＣに対して共通のＶＬＡＮ−ＩＤを付与している。
【００７８】
また、ユーザ２の端末装置３４２に電話機３８２が接続された場合、当該電話機３８２に対して、端末装置３４２はＶｏＩＰ  ＭＡＣ：Ｄ及びＶＬＡＮ−ＩＤ：Ｚを付与する機能を備えている。この実施形態では、ユーザ１、２の端末装置３４１、３４２は電話機に対して、互いに異なるＶＬＡＮ−ＩＤ：Ｙ、Ｚを付与し、更に、固有のＶｏＩＰ  ＭＡＣ：Ｂ、Ｄをも付与する。ここで、ＶｏＩＰ  ＶＬＡＮ−ＩＤ：Ｙ及びＶＬＡＮ−ＩＤ：Ｚは電話機３８１、３８２に割り当てられた既存Ｌ２ＳＷ（スイッチ）２５の特定の出方路をＶＬＡＮによって指示しているものとする。
【００７９】
図示されたスイッチ２５は、サービス用ＶＬＡＮ上に、サービス系ＶＬＡＮ−ＩＤ：Ｘを含むサービス系パケットを出力し、他方、ＶｏＩＰ用ＶＬＡＮ上にＶｏＩＰ  ＶＬＡＮ−ＩＤ：Ｙ及びＺを含むＶｏＩＰ系音声パケットを出力する。当該ＶｏＩＰ系音声パケットには、端末装置３４１及び３４２によって付与されたＶｏＩＰ  ＭＡＣ：Ｂ及びＤも含まれている。
【００８０】
このように、互いに異なるＶｏＩＰ  ＶＬＡＮ−ＩＤ：Ｙ及びＺを有するパケットが既存のレイヤ２スイッチ（Ｌ２ＳＷ）２５から出力された場合、これら異なるＶｏＩＰ  ＶＬＡＮ−ＩＤ：Ｙ及びＺをこれらＶｏＩＰ系音声パケットに応じたＶｏＩＰ用サーバ２６２に導く必要がある。
【００８１】
図示された実施形態では、スイッチ２５とＢＡＳ２４との間に、セパレータ５０が設けられており、当該セパレータ５０は、スイッチ２５から出力される各ユーザ１、２からのＶｏＩＰ系音声パケットを受信できる出方路の位置に設けられている、セパレータ５０には、ユーザ１及び２のＶｏＩＰ系パケットに関するＭＡＣ／ＶＬＡＮテーブルが備えられている。即ち、表１のユーザ１及び２のＶｏＩＰテーブルのＶＬＡＮ−ＩＤがそれぞれＹ及びＺに置き換えられたＭＡＣ／ＶＬＡＮテーブルがセパレータ５０に設定されている。
【００８２】
即ち、ユーザ１のＶｏＩＰテーブルは、端末装置３４１のＶｏＩＰＭＡＣ：ＢとＶＬＡＮ−ＩＤ：Ｙの組み合わせ、及び、これに対応したセパレータ５０とＢＡＳ２４のＶＲ２４２間のＶＬＡＮ−ＩＤとの関係を格納しており、他方、ユーザ２の２ＶｏＩＰテーブルは、端末装置３４２のＶｏＩＰＭＡＣ：Ｄ及びＶＬＡＮ−ＩＤ：Ｚの組み合わせ、及び、この組み合わせに対応したセパレータ５０とＢＡＳ２４のＶＲ２４２間のＶＬＡＮ−ＩＤを格納している。
【００８３】
したがって、端末装置３４１、３４２から受信したＶｏＩＰ系パケットのタグがユーザ１及び２のＶｏＩＰテーブルに格納された各端末装置３４１、３４２のＶｏＩＰＭＡＣアドレス及びＶＬＡＮ−ＩＤと一致すると、ユーザ１及び２の２ＶｏＩＰテーブルに格納されたＶＬＡＮ−ＩＤに対応したＶＬＡＮが選択され、選択されたＶＬＡＮを介して、ＢＡＳ２４のＶＲ２４２に接続される。このように、この実施形態では、ＭＡＣ／ＶＬＡＮ−ＩＤを利用して、セパレータ５０により端末装置３４１及び３４２に接続された電話機３８１、３８１の位置固定が行われる。
【００８４】
セパレータ５０を介して接続されたＢＡＳ２４のＶＲ２４２は、ＶｏＩＰ用サーバ２６２に対して、端末装置のＩＤ／ＰＷＤを含むＶｏＩＰ系認証要求パケットをＲＡＤＩＵＳ２６のＶｏＩＰ用サーバ２６２に出力する。
【００８５】
ＶｏＩＰ用サーバ２６２は図１と同様にして、ユーザＩＤ、パスワード（ＰＷＤ）の認証を行う。認証要求パケットのＩＤ／ＰＷＤが各ユーザに定められたユーザＩＤ、パスワード（ＰＷＤ）が一致すると、ＩＰアドレスを端末装置に対して払い出す。一方、ＲＡＤＩＵＳ２６のＶｏＩＰ用サーバ２６２で不一致が検出されると、当該ＶｏＩＰ用サーバ２６２の認証は失敗し、何等のＩＰアドレスも発行しない。
【００８６】
上記した実施形態では、ＶｏＩＰ系パケットのＶｏＩＰ  ＶＬＡＮ−ＩＤが、ＶｏＩＰ系パケットの回線経路をあらわす接続情報としての経路識別子として機能し、他方、ＶｏＩＰＭＡＣアドレスが端末装置をあらわす端末識別情報（即ち、端末識別子）としての機能を有していることが分かる。
【００８７】
上記したような形式で、位置固定及び認証された各端末装置に接続された電話機は、以後、当該電話機に対して分配されたＩＰアドレスに応答して、０ＡＢ〜Ｊ番号による発信も可能な状態になる。
【００８８】
このように、図２に示した実施形態では、既存のレイヤ２スイッチ２５をセパレータ５０と組み合わせるだけで、電話機の位置を認証、固定することができる。したがって、図２に示すＩＰ電話システムは、新たにスイッチ２５を開発する必要がないと言う利点がある。また、ＲＡＤＩＵＳ２６においても、設定の変更を最小限に止めて、認証を行うことができる。
【００８９】
ここで、ユーザ２の端末装置３４２の代わりに、ユーザ１の端末装置３４１が接続された場合について説明する。この場合、ＰＣ３６１或いは３６２が端末装置３４１に接続されても、これら各ＰＣの位置を特定する必要はない。このため、端末装置３４１はサービス系パケットに対しては、ＰＣのＭＡＣアドレス及びＶＬＡＮ−ＩＤをそのまま出力する。
【００９０】
他方、ユーザ２の端末装置として、ユーザ１の端末装置３４１が接続された場合、当該端末装置３４１は電話機３８２に対して、端末装置３４２のＶｏＩＰＭＡＣ：Ｄ及びＶＬＡＮ−ＩＤ：Ｚとは異なるＶｏＩＰＭＡＣ：Ｂ及びＶＬＡＮ−ＩＤ：Ｙを付与することになる。このように、正規のＶｏＩＰＭＡＣ、ＶＬＡＮ−ＩＤとは異なるＶｏＩＰＭＡＣ、ＶＬＡＮ−ＩＤが加入者収容装置（ＣＯ）２２に与えられると、当該加入者収容装置２２はＶＬＡＮフィルタ動作を行い、設定されたＶＬＡＮ以外は通さない、この結果として、ユーザ２の位置に、正規の端末装置とは異なる端末装置が接続されても、加入者収容装置２２より上位の装置に対する接続は拒否される。
【００９１】
一方、何等かの原因で、セパレータ５０において、ＶｏＩＰＭＡＣアドレス及びＶｏＩＰＶＬＡＮ−ＩＤの不一致が検出されると、当該セパレータ５０において上位装置への接続を拒否して、当該パケットを破棄する。いずれにしても、図示された例では、セパレータ５０のみを既存のシステムに設けるだけで、端末装置３４１、３４２に接続された電話機の位置を固定することができる。
【００９２】
尚、図示された各端末装置３４１及び３４２は、音声を優先して、通常のイーサネット（登録商標）パケットを送出するものとする。
【００９３】
図３を参照して、図１及び図２に適用できるＶＬＡＮ−ＩＤ付与方式の一例を説明する。まず、各ユーザのＰＣ３６１及び３６２に設けられたＮＩＣ(Network  Interface  Card)には、当該ＮＩＣ固有のＭＡＣ（Media  Access  Control）アドレスが割り当てられており、このため、ＰＣ３６１、３６２のパケットには、データリンク層（レイヤ２）のヘッダとして、ＭＡＣ（Media  Access  Control）アドレスが書き込まれている。ここでは、ＰＣ３６１及び３６２に対して、ＭＡＣアドレスとして、それぞれＭＡＣ：Ａ及びＭＡＣ：Ｃが割り当てられているものとする。
【００９４】
更に、図３に示された例では、ユーザ側装置として、端末装置（ＶｏＩＰ−ＴＡ）３４１、３４２のほかに、ＣＰＥ（Ｃｕｓｔｏｍｅｒ  Ｐｒｅｍｉｓｅｓ  Ｅｑｕｉｐｍｅｎｔ）３０１、３０２が設けられている。端末装置３４１には、図１及び図２と同様に、ＰＣ３６１及び電話機３８１が接続されており、他方、端末装置（ＶｏＩＰ−ＴＡ）３４２には、ＰＣ３６２及び電話機３８２が接続されている。以下、図示された端末装置３４１及び３４２は互いに同一の構成を有しているものとして説明するが、両端末装置３４１、３４２は必ずしも同一の構成である必要はない。尚、端末装置３４１とＣＰＥ３０１、端末装置３４２とＣＰＥ３０２とは一体化され、ユーザ１及び２の宅内に配置されても良い。尚、図示されたＣＰＥ３０１、３０２と加入者収容装置２０とは光ケーブル、メタルケーブル等の媒体により接続されている。
【００９５】
図示された端末装置３４１、３４２は、電話機３８１、３８２からのＶｏＩＰ系のパケットをサービス系、即ち、ＰＣ３６１、３６２からのパケットに優先して出力する機能を備え、この例では、イーサネット（登録商標）パケット形式で出力するものとする。端末装置３４１、３４２は電話機３８１、３８２から与えられる音声をＶｏＩＰ系パケットとして出力する。
【００９６】
この場合、端末装置３４１は電話機３８１のＭＡＣアドレスとしてＭＡＣ：Ｂを付与する機能を備え、この結果、端末装置３４１からは、ＭＡＣ：Ｂを有するパケットが送出される。他方、端末装置３４２は電話機３８２に対して付与されたＭＡＣアドレス（ＭＡＣ：Ｄ）を有するパケットを出力する機能を備えている。
【００９７】
他方、端末装置３４１、３４２はＰＣ３６１、３６２からのＭＡＣ：Ａ、ＭＡＣ：ＣのＭＡＣアドレスを有するパケットをそのまま上位のＣＰＥ３０１、３０２に送出する。このように、電話機３８１、３８２に対しても、端末装置３４１、３４２においてＭＡＣアドレスを付与することにより、上位装置では、ＰＣ、電話機のいずれからのパケットであることを検出できる。
【００９８】
端末装置３４１に接続されたＣＰＥ３０１は、ＭＡＣ：Ａ及びＭＡＣ：Ｂを受けて、これらＭＡＣ：Ａ、ＭＡＣ：Ｂを検出するＭＡＣアドレス検出部４０1  を備えている。当該ＭＡＣアドレス検出部４０１は、ＰＣ３６１、電話機３８１のどちらから受信したパケットであるかを検出する一方、検出されたＰＣ３６１、電話機３８１に応じたタグを付与する機能を有している。
【００９９】
同様に、ＣＰＥ３０２にも、ＭＡＣアドレス検出部４０２が設けられており、当該ＭＡＣアドレス検出部４０２はＭＡＣ：Ｃ及びＭＡＣ：Ｄを検出することにより、当該検出結果に応じたタグを受信したパケットに付与する機能を有している。
【０１００】
図示された例では、ＭＡＣアドレス検出部４０１はサービス系のパケットに対して割り当てられたＶＬＡＮ−ＩＤ：Ｘをパケットに付与すると共に、当該パケットのサービスクラス（ＣｏＳ）を示すＣｏＳ番号１を付与している。結果として、サービス系のパケットには、図３に示されるように、ＣｏＳ：１，ＶＬＡＮ−ＩＤ：Ｘ、ＭＡＣ：Ａからなるタグが与えられる。
【０１０１】
更に、ＭＡＣアドレス検出部４０１はＶｏＩＰ系のパケットに対して割り当てられたＶＬＡＮ−ＩＤ：Ｙを付与すると共に、ＶｏＩＰ系パケットのサービスクラスを示すＣｏＳ番号（ＣｏＳ：７）をＶｏＩＰ系パケットに与え、結果として、ＶｏＩＰ系パケットには、図３に示すように、ＣｏＳ：７、ＶＬＡＮ−ＩＤ：Ｙ、及び、ＭＡＣ：Ｂからなるタグが形成されることになる。
【０１０２】
このように、サービスクラス（ＣｏＳ）番号、ＶＬＡＮ−ＩＤ、及び、ＭＡＣ：Ａからなるタグを含むパケットは加入者収容装置（ＣＯ）２０に与えられ、加入者収容装置２０において、サービス系パケット及びＶｏＩＰパケットに応じたＶＬＡＮを介してＢＡＳ２４に送信され、図１又は図２と同様にして、電話機３８１の認証及び固定が行われる。
【０１０３】
ＣＰＥ３０２のＭＡＣアドレス検出部４０２においても、ＭＡＣアドレス検出部４０１と同様な動作が行われ、ＰＣ３６２からのサービス系パケットには、ＣｏＳ：１、ＶＬＡＮ−ＩＤ：Ｘ、及び、ＭＡＣ：Ｃからなるタグが付与され、加入者収容装置（ＣＯ）２０に送出され、他方、電話機３８２のＶｏＩＰ系パケットには、ＣｏＳ：７、ＶＬＡＮ−ＩＤ：Ｚ、及び、ＭＡＣ：Ｄからなるタグが付与され、加入者収容装置２０に送信される。これらのタグを有するパケットも図１及び図３と同様に処理され、電話機３８２の認証及び固定が行われる。
【０１０４】
この場合、ＣＰＥ３０１、３０２はＶＬＡＮ−ＩＤによってサービス系パケットとＶｏＩＰ系パケットとの振り分けを行っているから、各パケットのタグ中に含まれているＶＬＡＮ−ＩＤはパケットの経路情報としての機能を備えている。
【０１０５】
図３に示されたタグ付加方式を図１に適用する場合、ＣＰＥ３０１のＭＡＣアドレス検出部４０１を図１に示されたＶＬＡＮ−ＩＤ：Ｘ及びＹの代わりに、ＶＬＡＮ−ＩＤ：ａを付与するように構成すれば良い。またＣＰＥ３０２のＭＡＣアドレス検出部４０２をＶＬＡＮ−ＩＤ：Ｘ及びＺの代わりに、サービス系及びＶｏＩＰ系に共通のＶＬＡＮ−ＩＤ：ｂを付与するように構成すればよい。
【０１０６】
また、図３に示されたタグ付加方式を図２に示されたＩＰ電話システムに適用する場合、図３に示された端末装置３４１、３４２、及び、ＣＰＥ３０１、３０２をそのまま使用することができる。即ち、端末装置３４１、３４２からのサービス系パケットに共通のＶＬＡＮ−ＩＤ：Ｘを付与すると共に、端末装置３４１、３４２からのＶｏＩＰ系パケットに対して、それぞれ、ＶｏＩＰ  ＶＬＡＮ−ＩＤ：Ｙ及びＺを付与するＣＰＥ３０１、３０２をそのまま利用することができる。
【０１０７】
図４を参照して、図１及び図２に適用することができるタグ付与方式の他の構成例を説明する。ここでは、サービス系のパケットに、全てのユーザに共通ＶＬＡＮ−ＩＤが付与された場合の構成例が示されており、この例の場合、サービス系パケットには、端末装置３４１、３４２からＶＬＡＮ−ＩＤ：Ｘが与えられるものとする。他方、ＶｏＩＰ系パケットにも、端末装置３４１、３４２によって全ユーザに共通にＶＬＡＮ−ＩＤ：Ｙが付与されるものとし、ＶＬＡＮ−Ｄ：ＹはＶＬＡＮ−ＩＤ：Ｘとは相違しているものとする。尚、端末装置３６１及び３６２はＶｏＩＰ系の音声パケットをサービス系のパケットに優先して出力することは図３に示した端末装置３４１、３４２と同様である。
【０１０８】
図４に示された端末装置３４１には、ＰＣ３６１及び電話機３８１が接続されており、図３の場合と同様に、ＰＣ３６１からはＭＡＣ：ＡのＭＡＣアドレスを含むパケットが与えられ、電話機３８１からの音声はＭＡＣアドレスを含んでいない。また、端末装置３４２には、ＰＣ３６２及び電話機３８２が接続されており、ＰＣ３６２からはＭＡＣ：Ｃを含むパケットが与えられている。
【０１０９】
この構成例では、端末装置３４１及び３４２において、共通のＶＬＡＮ−ＩＤ：Ｘ及びＹが付与されるものとする。この場合、端末装置３４１はタグ付与部４５１を備えている。当該タグ付与部４５１はＰＣ３６１と電話機３８１の物理的接続位置を検出することによって、ＰＣか電話機かを判定しても良いし、或いは、ＭＡＣアドレス（ＭＡＣ：Ａ）の有無、或いは、パケットの有無を検出することによって、サービス系パケットかＶｏＩＰ系の音声であるかを識別するように構成しても良い。ＰＣ３６１からのアクセスであることを検出すると、タグ付与部４５１はサービス系に割り当てられたＶＬＡＮ−ＩＤ：ＸとＣｏＳ：１とをパケットに付与し、図４に示されたように、ＣｏＳ：１、ＶＬＡＮ−ＩＤ：Ｘ、及び、ＭＡＣ：Ａからなるタグを含むパケットを生成する。
【０１１０】
他方、電話機３８１からのＶｏＩＰ系アナログ音声信号が与えられると、タグ付与部５１は当該ＶｏＩＰ系に定められたＣｏＳ：７、ＶＬＡＮ−ＩＤ：Ｙ、及び、ＭＡＣ：Ｂからなるタグを含むＶｏＩＰ系パケットを生成する。
【０１１１】
同様に、ＰＣ３６２及び電話機３８２に接続された端末装置３４２も、タグ付与部４５２を備え、当該タグ付与部４５２において、図４に示すように、ＣｏＳ：１、ＶＬＡＮ−ＩＤ：Ｘ、ＭＡＣ：Ｃからなるタグを含むサービス系パケットを生成する一方、Ｃｏｓ：７、ＶＬＡＮ−ＩＤ：Ｙ、ＭＡＣ：Ｄからなるタグを含むＶｏＩＰ系パケットを生成する。
【０１１２】
上述したように、端末装置３４１及び３４２から生成されるサービス系パケットには、共通のＶＬＡＮ−ＩＤ：Ｘが含まれているが、ＭＡＣアドレスが相違するため、両端末装置３４１、３４２からのサービス系パケットの識別は容易である。
【０１１３】
同様に、端末装置３４１及び３４２から生成されるＶｏＩＰ系音声パケットには、共通のＶＬＡＮ−ＩＤ：Ｙが含まれており、ＭＡＣアドレス（ＭＡＣ：Ｂ，ＭＡＣ：Ｃ）が相違するため、両端末装置３４１、３４２からのＶｏＩＰ系パケットを識別することはできる。しかしながら、経路情報或いは経路識別子としてのＶＬＡＮ−ＩＤ：Ｙが共通であるため、当該ＶＬＡＮ−ＩＤ：Ｙにより、電話機３８１及び３８２を個別に識別して認証することはできない。尚、サービス系パケットについては、ＰＣ３６１、３６２の位置を特定する必要がないため、互いに共通のＶＬＡＮ−ＩＤ：Ｘがパケットに含まれていても問題は生じない。
【０１１４】
上記した点を考慮して、図４に示された例では、端末装置３４１に接続されるＣＰＥ３０１に、端末装置３４１からのＶＬＡＮ−ＩＤ：Ｙを当該端末装置３４１特有のＶＬＡＮ−ＩＤ：Ｌに変更するタグ変更部４７１が設けられている。このタグ変更部４７１では、ＭＡＣ：Ｂ及びＣｏＳ：７は変更されず、他方、サービス系パケットはそのまま通過する。
【０１１５】
他方、ＣＰＥ３０２も、端末装置３４２から与えられるＶＬＡＮ−ＩＤ：Ｙを当該端末装置３４２特有のＶＬＡＮ−ＩＤ：Ｎに変更するタグ変更部４７２を備えている。ここで、ＶＬＡＮ−ＩＤ：ＮとＶＬＡＮ−ＩＤ：Ｌとを互いに相違させることによって、電話機３８１、３８２の位置を個別に識別、認証できる。
【０１１６】
ＣＰＥ３０１、３０２に接続された加入者収容装置２０は、上記したタグを含むパケットを受けて、スイッチ５０に出力する。具体的に説明すると、図１の例では、加入者収容装置（ＣＯ）２２はスイッチ２５内の表１で示されたＭＡＣ／ＶＬＡＮテーブルによりパケットを上位装置に振り分け、また、図２の例では、セパレータ５０でＭＡＣ／ＶＬＡＮテーブルを参照し、不一致の場合には上位には接続せず、パケットを破棄する。
【０１１７】
ここで、図４のタグ付与方式を図１に適用する場合、端末装置３４１からのサービス系パケットに対して、ＶＬＡＮ−ＩＤとして、Ｘの代わりにａを与え、ＶｏＩＰ系パケットのＶｏＩＰＶＬＡＮ−ＩＤとして、Ｌの代わりにａを与えるように、ＣＰＥ３０１を構成すれば良い。また、端末装置３４２からのサービス系パケットのＶＬＡＮ−ＩＤとして、Ｘの代わりに、ｂを与え、ＶｏＩＰ系パケットのＶｏＩＰＶＬＡＮ−ＩＤとして、Ｎの代わりにｂを与えるように、ＣＰＥ３０２を構成すれば良い。
【０１１８】
また、図４に示されたタグ付加方式を図２に適用する場合、ＶｏＩＰ系パケットに対して、ＣＰＥ３０１のタグ変更部４７１において、ＶＬＡＮ−ＩＤ：Ｙをそのまま出力し、他方、ＣＰＥ３０２のタグ変更部４７２において、ＶｏＩＰ  ＶＬＡＮ−ＩＤ：ＹをＺに変更すれば良い。
【０１１９】
図５を参照して、タグを形成するための他の構成例を説明する。この構成例は、サービス系パケットにはユーザ共通のＶＬＡＮ−ＩＤを設定し、ＶｏＩＰ系パケットには、ユーザ毎に異なるＶＬＡＮ−ＩＤを設定する場合である。この例においても、端末装置３４１、３４２はＶｏＩＰ系音声パケットをサービス系パケットに優先して出力する。
【０１２０】
このため、図５に示された端末装置３４１は電話機３８１からの音声をパケット化する場合、電話機３８１固有のＭＡＣアドレス（ＭＡＣ：Ｂ）を付与すると共に、当該端末装置３４１に定められたＶＬＡＮを識別するＶＬＡＮ−ＩＤ（ＶＬＡＮ−ＩＤ：Ｙ）をＣｏＳ：７と共に付与し、タグを形成する第１タグ付加部５２１を有している。一方、当該端末装置３４１に接続されたＣＰＥ３０１はサービス系パケットに共通に設定されたＶＬＡＮに接続するために、当該サービス系パケット用ＶＬＡＮを識別するＶＬＡＮ−ＩＤ（ＶＬＡＮ−ＩＤ：Ｘ）を生成する必要がある。
【０１２１】
このため、図示されたＣＰＥ３０１はＶＬＡＮ−ＩＤ：Ｘ及びＣｏＳ：１をタグに設定する第２タグ付加部５４１を備えている。この場合、第２タグ付加部５４１は端末装置３４１からのパケットに付与されているＭＡＣ：Ａをそのまま通過させるから、加入者収容装置２０には、図５に示すように、ＣｏＳ：１、ＶＬＡＮ−ＩＤ：Ｘ、ＭＡＣ：Ａからなるタグを含むサービス系パケットがＣＰＥ３０１から加入者収容装置２０に出力され、当該加入者収容装置２０からサービス系パケットに設定されたＶＬＡＮ−ＩＤ：Ｘ上に送出される。
【０１２２】
一方、ＶｏＩＰ系音声パケットに付与されたタグはそのままＣＰＥ３０１から加入者収容装置２０に出力される。この例の場合、ＶＬＡＮ−ＩＤ：Ｙを含むＶｏＩＰ系音声パケットは、当該ＶＬＡＮ−ＩＤ：Ｙで識別されるＶＬＡＮ上に出力される。
【０１２３】
同様に、ＰＣ３６２及び電話機３８２に接続された端末装置３４２は第１タグ付加部５２２を有し、当該第１タグ付加部５２２により、当該端末装置３４２に設定されたＶＬＡＮ−ＩＤ：Ｚ及びＭＡＣ：Ｄを生成し、ＣｏＳ：７と共にタグを形成する。当該タグを含むＶｏＩＰ系音声パケットはＣＰＥ３０２を通過して、直接、加入者収容装置２０に送られ、当該ＶＬＡＮ−ＩＤ：Ｚで指示されたＶＬＡＮ上に出力される。他方、ＭＡＣ：Ｃを含むサービス系パケットは端末装置３４２を通過して、ＣＰＥ３０２の第２タグ付加部５４２に供給される。
【０１２４】
第２タグ付加部５４２はサービス系パケットに共通なＶＬＡＮ−ＩＤ：Ｘを付与すると共に、ＣｏＳ：１を付与し、これによって、ＭＡＣ：Ｃと共にタグを形成する。このようなタグを含むサービス系パケットはサービス系パケットに共通なＶＬＡＮ：Ｘ上に出力される。
【０１２５】
図５に示されたタグ付与方式を図１に示されたＩＰ電話システムに適用する場合、端末装置３４１側では、パケット系ＶＬＡＮ−ＩＤ及びＶｏＩＰ系ＶＬＡＮ−ＩＤとして、ａを付与すれば良いから、第１タグ付加部５２１及び第２付加部５４１でＶＬＡＮ−ＩＤ：Ｘ、Ｙの代わりに、ＶＬＡＮ−ＩＤ：ａを付与する構成を採用すれば良い。他方、端末装置３４２側では、パケット系ＶＬＡＮ−ＩＤ及びＶｏＩＰ系ＶＬＡＮ−ＩＤとして、ｂを付与すれば良いから、第１タグ付加部５２２及び第２タグ付加部５４２はＶＬＡＮ−ＩＤ：Ｘ及びＺの代わりに、ＶＬＡＮ−ＩＤ：ｂを与える構成を備えていれば良い。
【０１２６】
これらＶＬＡＮ上に出力されたサービス系パケット及びＶｏＩＰ系音声パケットは図１及び２を参照して説明した手法により処理されるから、ここでは説明を省略する。
【０１２７】
図３〜５では、端末装置３４１、３４２のほかに、ＣＰＥ３０１、３０２を使用してタグを付与するタグ付与方式について説明したが、本発明は何等これに限定されることなく、端末装置３４１、３４２だけによっても所望のタグを形成することができる。
【０１２８】
図６を参照すると、端末装置３４１から出力されるサービス系パケット及びＶｏＩＰ系パケットに対して、共通のＶＬＡＮ−ＩＤ：Ｘを付与する一方、端末装置３４２から出力されるサービス系パケット及びＶｏＩＰ系パケットに対して、共通のＶＬＡＮ−ＩＤ：Ｙを付与する場合が示されている。即ち、図示された例は、加入者単位でＶＬＡＮ−ＩＤが変更されている場合である。この場合、端末装置３４１はＰＣ３６１及び電話機３８１と接続されており、ＰＣ３６１からのＭＡＣ：Ａを有するパケットが入力される一方、電話機３８１からは音声が入力される。
【０１２９】
タグ付与部６０１はＭＡＣ：Ａを検出して、ＰＣ３６１からのパケットに当該ＭＡＣ：Ａを通過される一方、ＣｏＳ：１を付与すると共に、当該端末装置３４１に割り当てられた経路情報として、ＶＬＡＮ−ＩＤ：Ｘを付与する。他方、電話機３８１から音声入力を受けると、タグ付与部６０１はＭＡＣ：Ｂ及びＶＬＡＮ−ＩＤ：Ｘ、ＣｏＳ値：７をタグとして付与したＶｏＩＰ系パケットを生成する。
【０１３０】
端末装置３４２から出力されるサービス系パケット及びＶｏＩＰ系パケットには、共通のＶＬＡＮ−ＩＤ：Ｙが付与される。このため、タグ付与部６０２は、ＰＣ３６２からのパケットのＭＡＣ：Ｃを通過させる一方、ＣｏＳ：1を割り当てる一方、ＶＬＡＮ−ＩＤ：Ｙを経路情報として付加する。また、電話機３８２からの音声に対して、タグ付与部６０２はＭＡＣ：Ｄ及びＶＬＡＮ−ＩＤ：Ｙを付与すると共に、ＣｏＳ：７を割り当てる。
【０１３１】
このように、図６に示された構成例では、各端末装置３４１には共通のＶＬＡＮ−ＩＤが割り当てられている。このため、上位装置では、サービス系パケットとＶｏＩＰ系パケットとを各ユーザ毎に識別する必要がある。しかしながら、このようなパケットの識別はパケット内に含まれているＭＡＣアドレスを識別することより、容易に可能である。例えば、加入者収容装置及び／またはスイッチ２５において、ＭＡＣアドレスとＶＬＡＮ−ＩＤとを用いて、サービス系パケットとＶｏＩＰ系パケットとを識別し、サービス系パケットとＶｏＩＰ系音声パケットとを振り分けることができる。
【０１３２】
図６に示されたタグ付与方式は図１に示されたＩＰ電話システムに適用することができる。
【産業上の利用可能性】
【０１３３】
以上説明したように、本発明に係るＩＰ電話システムは、音声パケットにＶＬＡＮ−ＩＤ及びＭＡＣ：ＩＤを付与できる装置をユーザ端末側に設けることにより、当該端末装置に接続される電話機等の機器の位置を識別、認証することができるため、電話機等の機器の位置を認識、固定でき、この結果、緊急電話番号に対する発信の際にも位置を認識することができる０ＡＢ〜Ｊ番号サービスを提供することができる。
【図面の簡単な説明】
【０１３４】
【図１】本発明の一実施形態に係るＩＰ電話システムの構成を示すブロック図である。
【図２】本発明の他の実施形態に係るＩＰ電話システムの構成を示すブロック図である。
【図３】図１及び図２のＩＰ電話システムに適用できるタグ付与方式の一例を示すフロック図である。
【図４】タグ付与方式の他の構成例を示すブロック図である。
【図５】タグ付与方式の更に他の構成例を示すブロック図である。
【図６】タグ付与方式の別の構成例を示すブロック図である。
【符号の説明】
【０１３５】
２０                  ＩＰ電話システム
２２                  加入者収容装置（ＣＯ）
２４                  ＢＡＳ
２４１、２４２        ＶＲ
２５                  スイッチ
２６                  ＲＡＤＩＵＳ
２６１                サービス用サーバ
２６２                ＶｏＩＰ用サーバ
３０１、３０２        ＣＰＥ
３２１、３２２        ＭＣ
３４１、３４２        端末装置（ＶｏＩＰ−ＴＡ）
３６１、３６２        ＰＣ
３８１、３８２        電話機
【図１】
2006311173.tif 000004
【図２】
2006311173.tif 000005
【図３】
2006311173.tif 000006
【図４】
2006311173.tif 000007
【図５】
2006311173.tif 000008
【図６】
2006311173.tif 000009